(57)【要約】【課題】支柱同士を強固かつ安定的に連結することができるとともに、支柱同士の連結部の体裁を良好に収めることができる支柱連結構造を提供する。【解決手段】支柱端面５８ｃに支柱の長手方向を向く第一の雌ネジ穴５８ｄが形成された第一支柱５８と、支柱端面５７ｆに内方に向かって凹入した空間部５７ｇが形成されるとともに、空間部の底面５７ｈから長手方向を向く第二の雌ネジ穴５７ｉが形成された第二支柱５７と、外周全長に亘って雄ネジが形成された雄ネジ部材６１と、雄ネジ部材に螺合されるナット部材６２とを備え、雄ネジ部材の一端部を第一の雌ネジ穴に螺合させつつナット部材を雄ネジ部材に螺合することで、第一支柱の支柱端面とナット部材とを当接させるとともに第一支柱に雄ネジ部材を固着させ、空間部内にナット部材の一部を収容しつつ第二の雌ネジ穴と雄ネジ部材の他端部を螺合させることにより、第一支柱及び第二支柱を連結可能に構成した。【選択図】図１１
2009174582.tif 000002
【特許請求の範囲】
【請求項１】
支柱同士を連結する支柱連結構造において、
支柱端面に、該支柱の長手方向を向く第一の雌ネジ穴が形成された第一支柱と、
支柱端面に、該支柱端面から内方に向かって凹入した空間部が形成されるとともに、該空間部の底面から前記支柱の長手方向を向く第二の雌ネジ穴が形成された第二支柱と、
外周全長に亘って雄ネジが形成された円柱状の雄ネジ部材と、
該雄ネジ部材に螺合されるナット部材と、を備え、
前記雄ネジ部材の一端部を前記第一の雌ネジ穴に螺合させつつ、前記ナット部材を前記雄ネジ部材に螺合することにより、前記第一支柱の支柱端面と前記ナット部材とを当接させるとともに、前記第一支柱に前記雄ネジ部材を固着させ、
前記第二支柱の前記空間部内に、前記ナット部材の少なくとも一部を収容しつつ、前記第二の雌ネジ穴と前記雄ネジ部材の他端部を螺合させることにより、前記第一支柱および前記第二支柱を連結可能に構成されていることを特徴とする支柱連結構造。
【請求項２】
前記第一支柱の支柱端面の周縁に、該第一支柱の軸方向外方に向かって袖部が突出形成されており、
前記第一支柱および前記第二支柱を連結する際に、前記袖部が前記第二支柱の外周に外嵌されることを特徴とする請求項１に記載の支柱連結構造。
【請求項３】
前記第一支柱の支柱端面の周縁に、該第一支柱の軸方向外方に向かって袖部が突出形成されており、
前記第一支柱および前記第二支柱を連結する際に、前記袖部が前記第二支柱の前記空間部内に内嵌されることを特徴とする請求項１に記載の支柱連結構造。
【請求項４】
前記第一支柱および前記第二支柱が断面円形状に形成され、前記第一の雌ネジ穴および前記第二の雌ネジ穴の中心軸がそれぞれの支柱の中心に形成されていることを特徴とする請求項１〜３のいずれかに記載の支柱連結構造。
【請求項５】
前記第一支柱および前記第二支柱が略同一の直径で形成されていることを特徴とする請求項１〜４のいずれかに記載の支柱連結構造。
【発明の詳細な説明】
【技術分野】
【０００１】
本発明は、支柱同士を直線状に連結する支柱連結構造に関するものである。
【背景技術】
【０００２】
家具などの什器において、支柱同士を直線状に連結して使用したい場合が多く見られる。こうした支柱連結構造としては、一方の支柱の端部に雄ネジ部を形成するとともに、他方の支柱の端部に雌ネジ部を形成し、これらを螺合させることにより支柱同士を直線状に強固に連結する方法が一般的となっている。
【０００３】
これに対し、支柱の端部に支柱よりも一回り小さなサイズの連結パイプを嵌挿固定し、この連結パイプを介して支柱を上下に連結した構成が提案されている（例えば、特許文献１参照）。
【特許文献１】特開２００３−４１７６９号公報
【発明の開示】
【発明が解決しようとする課題】
【０００４】
ところで、従来の支柱連結構造では、一方の支柱に雄ネジ部が形成され、他方の支柱には雌ネジ部が形成されているため、支柱同士を連結しないで使用する際に、一方の支柱は雄ネジ部が露出してしまい、体裁が悪いという問題があった。
また、特許文献１の連結構造は、支柱同士を、連結パイプを介して嵌挿固定しているため、ネジによる螺合と比較して支柱同士の連結強度が低くなる虞があった。
【０００５】
そこで、本発明は、上述の事情に鑑みてなされたものであり、支柱同士を強固かつ安定的に連結することができるとともに、支柱同士の連結部の体裁を良好に収めることができる支柱連結構造を提供するものである。
【課題を解決するための手段】
【０００６】
上記の課題を解決するために、請求項１に記載した発明は、支柱同士を連結する支柱連結構造において、支柱端面に、該支柱の長手方向を向く第一の雌ネジ穴が形成された第一支柱と、支柱端面に、該支柱端面から内方に向かって凹入した空間部が形成されるとともに、該空間部の底面から前記支柱の長手方向を向く第二の雌ネジ穴が形成された第二支柱と、外周全長に亘って雄ネジが形成された円柱状の雄ネジ部材と、該雄ネジ部材に螺合されるナット部材と、を備え、前記雄ネジ部材の一端部を前記第一の雌ネジ穴に螺合させつつ、前記ナット部材を前記雄ネジ部材に螺合することにより、前記第一支柱の支柱端面と前記ナット部材とを当接させるとともに、前記第一支柱に前記雄ネジ部材を固着させ、前記第二支柱の前記空間部内に、前記ナット部材の少なくとも一部を収容しつつ、前記第二の雌ネジ穴と前記雄ネジ部材の他端部を螺合させることにより、前記第一支柱および前記第二支柱を連結可能に構成されていることを特徴としている。
【０００７】
請求項２に記載した発明は、前記第一支柱の支柱端面の周縁に、該第一支柱の軸方向外方に向かって袖部が突出形成されており、前記第一支柱および前記第二支柱を連結する際に、前記袖部が前記第二支柱の外周に外嵌されることを特徴としている。
【０００８】
請求項３に記載した発明は、前記第一支柱の支柱端面の周縁に、該第一支柱の軸方向外方に向かって袖部が突出形成されており、前記第一支柱および前記第二支柱を連結する際に、前記袖部が前記第二支柱の前記空間部内に内嵌されることを特徴としている。
【０００９】
請求項４に記載した発明は、前記第一支柱および前記第二支柱が断面円形状に形成され、前記第一の雌ネジ穴および前記第二の雌ネジ穴の中心軸がそれぞれの支柱の中心に形成されていることを特徴としている。
【００１０】
請求項５に記載した発明は、前記第一支柱および前記第二支柱が略同一の直径で形成されていることを特徴としている。
【発明の効果】
【００１１】
請求項１に記載した発明によれば、第一支柱と第二支柱とを雄ネジ部材を用いて螺合させることで連結するため、第一支柱および第二支柱を強固かつ安定的に連結することができる効果がある。また、第一支柱の支柱端面に当接されたナット部材が第二支柱の空間部内に少なくとも一部が収容されるように第一支柱と第二支柱とが連結されるため、第一支柱と第二支柱とを連結している雄ネジ部材が外部からは視認できない状態で連結される。したがって、支柱同士の連結部の体裁を良好に収めることができる効果がある。さらに、第一支柱および第二支柱を連結せずに単独で使用する際に、雄ネジ部が突出形成されていないため、支柱自体の体裁が悪くなることがない。
【００１２】
請求項２に記載した発明によれば、第一支柱と第二支柱との連結部の隙間に位置しているナット部材を第一支柱の袖部で覆うことができる。したがって、第一支柱と第二支柱とが直接連結されているように視認でき、支柱同士の連結部の体裁を良好に収めることができる効果がある。
【００１３】
請求項３に記載した発明によれば、第一支柱と第二支柱との連結部の隙間に位置しているナット部材を第二支柱の袖部で覆うことができる。したがって、第一支柱と第二支柱とが直接連結されているように視認でき、支柱同士の連結部の体裁を良好に収めることができる効果がある。
【００１４】
請求項４に記載した発明によれば、第一支柱および第二支柱の中心軸を一致させて連結することができるため、支柱同士が連結された状態の体裁を良好に保つことができる効果がある。
【００１５】
請求項５に記載した発明によれば、第一支柱および第二支柱の外形が略同一の直径で形成されているため、第一支柱と第二支柱とを連結したときに連結部を略面一にすることができる。したがって、一見して第一支柱と第二支柱との連結部を視認することができず、支柱同士が連結された状態の体裁をより良好に保つことができる効果がある。
【発明を実施するための最良の形態】
【００１６】
（第一実施形態）
次に、本発明に係る支柱連結構造の実施形態を図１〜図１０に基づいて説明する。なお、本実施形態ではテーブルに設けられたディスプレイ取付スタンドの支柱連結構造を例に説明する。
図１、図２に示すように、テーブル１は、略板状の天板１０と、天板１０を支持固定する一対の梁材２０と、床面Ｆ上に立設されて梁材２０を支持固定する脚体３０とを備え、全体として一方向に細長く形成されている。
【００１７】
脚体３０は、梁材２０の長さ方向Ｘの両側に二つ配設されていて、長さ方向Ｘと平面視において直交する幅方向Ｙに幅広に形成され、幅方向Ｙに並べられた一対の梁材２０を支持している。脚体３０は、略箱状の本体部３１と、床面Ｆ上に載置されて本体部３１を支持する支持板３２とを有している。そして、本体部３１と支持板３２との間には、複数のアジャスター３３（図３参照）が設けられていて、これにより床面Ｆの傾斜に対して本体部３１の高さおよび水平度を調整することが可能となっている。なお、本体部３１の幅方向Ｙの両側に位置する側板３１ａは、着脱自在に取り付けられている。
【００１８】
図３に示すように、脚体３０の本体部３１の上部には、一対の梁材２０のそれぞれと対応して、幅方向Ｙの外側から内側に向かって順に、略水平な一対の第一の載置面３４Ａ，３４Ｂと、第一の載置面３４Ａ，３４Ｂのそれぞれから下がるように傾斜した一対の第二の載置面３５Ａ，３５Ｂと、第二の載置面３５Ａ，３５Ｂのそれぞれの傾斜下端から続いた略水平な一対の第三の載置面３６Ａ，３６Ｂとが形成されている。一対の梁材２０のそれぞれと対応する第三の載置面３６Ａ，３６Ｂは連続した平面部３１ｂを形成していて、本体部３１の上部は、全体として凹状に形成されている。また、第二の載置面３５Ａ，３５Ｂよりも傾斜下端側となる第三の載置面３６Ａ，３６Ｂ上には、それぞれと対応する梁材２０を幅方向Ｙに係止する係止片３７が突出形成されている。また、本体部３１には、幅方向Ｙの中央に上下方向Ｚに延び、一対の第三の載置面３６Ａ，３６Ｂの間に開口する連絡溝３１ｃが形成されており、天板１０上に配置される電気機器などの配線を床面Ｆまで配設可能になっている。
【００１９】
一対の梁材２０は、それぞれ、幅方向Ｙの外側となる縁端２０ａが脚体３０の側板３１ａと略面一になるように、また、図１、図２に示すように、長さ方向Ｘの端部２０ｂが脚体３０よりも外側に張り出すようにして延設され、脚体３０に支持されている。また、梁材２０の長さ方向Ｘの端部２０ｂは、天板支持面２１から長さ方向Ｘの内側に向かうようにして傾斜して形成されており、エンドカバー２０ｃによって覆われている。
【００２０】
図４に示すように、梁材２０は、それぞれ上下方向Ｚに沿って形成された側面２０ｅと、天板１０が載置される上面となる天板支持面２１と、幅方向Ｙの外側から内側に向かって傾斜した下面となる傾斜面２２が長さ方向Ｘに連続して形成されていて、断面略三角形状に形成されている。そして、梁材２０は、重量を抑えつつ剛性を高めるために内部が空洞となっており、内部中央には剛性をさらに高めるために補強板２０ｄが上下方向Ｚに沿って設けられている。
【００２１】
図３に戻り、一対の梁材２０は、それぞれ幅方向Ｙの外側から内側に向かって順に、脚体３０の第一の載置面３４Ａ，３４Ｂと対応する略水平な第一の底面２３と、第二の載置面３５Ａ，３５Ｂと対応して第一の底面２３から続いて傾斜して形成された第二の底面２４と、第三の載置面３６Ａ，３６Ｂと対応して第二の底面２４から続く略水平な第三の底面２５とを有する。ここで、第二の底面２４は、傾斜面２２の一部として構成されている。そして、一対の梁材２０は、第一の底面２３が第一の載置面３４Ａ，３４Ｂに、第二の底面２４が第二の載置面３５Ａ，３５Ｂに、第三の底面２５が第三の載置面３６Ａ，３６Ｂにそれぞれ当接することで、脚体３０に支持されている。
【００２２】
さらに、一対の梁材２０は、それぞれ下部において、幅方向Ｙ内側に突出する被係止端２６が設けられていて、脚体３０の係止片３７に当接して幅方向Ｙに係止されている。また、第一の底面２３及び第二の底面２４には、それぞれネジ孔２８が形成されている。一方、脚体３０の上部において、第一の載置面３４Ａ、３４Ｂ及び第二の載置面３５Ａ、３５Ｂには、各ネジ孔２８と対応して本体部３１の内部まで連通する挿通孔３８が形成されている。そして、本体部３１の内部から挿通孔３８に挿通されてネジ孔２８に螺合された梁固定ボルト４０によって、各梁材２０は、第一の載置面３４Ａ、３４Ｂ及び第二の載置面３５Ａ、３５Ｂで脚体３０に固着されている。
【００２３】
また、天板１０は、長さ方向Ｘに二分割、幅方向Ｙに二分割、全体として四分割された板部材１１により構成されている（図１参照）。そして、天板１０を構成する各板部材１１は、下面が各天板支持面２１に当接することで各梁材２０に支持された状態となっている。
【００２４】
また、図４に示すように、各板部材１１の下面には、長さ方向Ｘの複数箇所にネジ穴１２が形成されている。一方、梁材２０には、長さ方向Ｘの複数箇所に上下方向Ｚに連通する挿通孔２９がネジ孔１２の位置に合わせて形成されている。そして、下側から挿通孔２９に挿通された天板固定ボルト４１が板部材１１のネジ穴１２に螺合されていることで、天板１０を構成する各板部材１１は梁材２０に固着されている。
【００２５】
ここで、各板部材１１の下面には、第一の被係止片１３及び第二の被係止片１４が取り付けられている。第一の被係止片１３及び第二の被係止片１４は、それぞれ幅方向Ｙの内側に向かって突出している。また、各梁材２０の天板支持面２１には、第一の被係止片１３及び第二の被係止片１４とそれぞれ対応するように、長さ方向Ｘに延びる第一の係止溝２１ａ及び第二の係止溝２１ｂが形成されている。第一の係止溝２１ａ及び第二の係止溝２１ｂには、幅方向Ｙ内側側縁から外側に向かって突出する係止縁部２１ｃ、２１ｄがそれぞれ設けられている。そして、天板１０を構成する各板部材１１が梁材２０に支持された状態では、第一の被係止片１３及び第二の被係止片１４は、それぞれ、対応する第一の係止溝２１ａ及び第二の係止溝２１ｂに挿入されることで各係止縁部２１ｃ、２１ｄに係合されており、これにより天板固定ボルト４１による固定と併せて各板部材１１を梁材２０に確実に固定した状態としている。
【００２６】
また、板部材１１には、幅方向Ｙの内側となる位置にそれぞれ切欠き１１ａが形成されている。そして、各板部材１１を梁材２０上に固定して組み合わせた状態において、天板１０には、切欠き１１ａによって幅方向Ｙの中央に上下に連通して長さ方向Ｘに延びる配線連通孔１０ａが形成されている。配線連通孔１０ａは、通常時においては、天板蓋５３により閉塞されている。一対の梁材２０の互いに対向する側面２０ｅには、複数の溝が長さ方向Ｘに延びるように形成されている。そして、この溝には、上方へ延びる支持部材１５が係止されており、天板蓋５３は支持部材１５によって支持されて、配線連通孔１０ａを閉塞している。天板蓋５３は、支持部材１５に対して回動可能かつ着脱可能であり、取り外すことで、天板１０上で使用する電気機器の配線を、配線連通孔１０ａを介して一対の梁材２０間を通線空間４３として配設することが可能となっている。
【００２７】
通線空間４３の底部は、一対の梁材２０間に係合された底板４３ａで閉塞されており、この底板４３ａ上に配線を配置することが可能である。通線空間４３に配設された電気機器の配線は、さらに梁材２０と脚体３０とが固定された位置で、連絡溝３１ｃ（図３参照）を介して床面Ｆの電源等と接続可能となっている。
【００２８】
なお、幅方向Ｙに沿って対向配置された天板蓋５３同士の隙間には、その隙間を閉塞する目隠蓋５４が設けられている。目隠蓋５４は、断面略コ字状で、長さ方向Ｘに沿って細長い板状部材になっており、支持部材１５に係止するようにして取り付けられている。また、目隠蓋５４には所定位置に平面視において略円形の貫通孔５５が形成されている（図１参照）。貫通孔５５は、梁材２０の側面２０ｅに係止された支柱支持部材５７（詳細は後述する）の支柱部５７ａが挿通可能になっている。そして、支柱支持部材５７の支柱部５７ａには、ディスプレイ取付スタンド５８が連結されている。
【００２９】
ここで、支柱支持部材５７と梁材２０との取付構造について説明する。
図５に示すように、梁材２０の側面２０ｅには、長さ方向Ｘに沿って略水平に形成された溝が複数形成されている。上下方向Ｚの最上部に形成された溝を第一係止溝７１とする。第一係止溝７１は、後述する支柱支持部材５７の上向片５７ｂを挿通可能な開口部７２が形成され、開口部７２の奥には連続して空洞部７３が形成されている。空洞部７３は、開口部７２に対して上下方向Ｚの上方に向けて膨出形成されており、開口部７２の上部が垂壁状の開口縁部７２ａとして構成されている。また、開口縁部７２ａには、開口部７２に面するように下向きの凹部７２ｂが所定位置に複数形成されている。
【００３０】
また、第一係止溝７１の下方には、長さ方向Ｘに沿って略水平に第二係止溝７５が形成されている。第二係止溝７５は、角ナット５９（図７参照）を挿通可能な開口部７６が形成され、開口部７６の奥には連続して空洞部７７が形成されている。空洞部７７は、開口部７６よりも上下方向Ｚに幅広になるように形成されており、角ナット５９を軸方向に回動させることで、角ナット５９が開口部７６の縁部により係止されるように構成されている。さらに、梁材２０の側面２０ｅの下端部２０ｆには、上向きの凹部７８が長さ方向Ｘに沿って連続的に形成されている。凹部７８には支柱支持部材５７の下端部５７ｋが当接して、支柱支持部材５７が支持されるようになっている。
【００３１】
図６に示すように、支柱支持部材５７は、断面略Ｌ字状に形成された部品である。支柱支持部材５７は、梁材２０の側面２０ｅに取り付けた際に、側面２０ｅから突設するように配設される後向片５７ｃと、後向片５７ｃにおける側面２０ｅとの係合部に形成された上向片５７ｂおよび接合片５７ｄと、後向片５７ｃにおける側面２０ｅとの係合部の反対側で、上下方向Ｚの上方に向けて延設された支柱部５７ａと、を備えている。また、接合片５７ｄには、第二係止溝７５に配される角ナット５９と螺合する固定ネジ６０を挿通させるための切欠き５７ｅが長さ方向Ｘの両側に形成されている。
【００３２】
また、支柱部５７ａの上面５７ｆには、上面５７ｆから上下方向Ｚの下方に向かって凹入した空間部５７ｇが形成されるとともに、空間部５７ｇの底面５７ｈの略中央部から支柱部５７ａの軸方向に沿って雌ネジ穴５７ｉが形成されている。雌ネジ穴５７ｉには、雄ネジ部材６１（図９参照）が螺合されるようになっている。
【００３３】
また、支柱支持部材５７の接合片５７ｄは、長さ方向Ｘにそって幅広に形成されており、接合片５７ｄの上部に断面略Ｌ字状に上向片５７ｂが連続して形成されている。後向片５７ｃは幅方向Ｙに幅広に形成されており、後向片５７ｃは上向片５７ｂに当接するまで延設されている。なお、後向片５７ｃの長さ方向Ｘの長さ（厚み）は、梁材２０の凹部７２ｂに嵌合可能な長さ（厚み）で形成されている。つまり、後向片５７ｃにおける上向片５７ｂとの当接部５７ｊは梁材２０の凹部７２ｂに嵌合可能になっている。
【００３４】
図８に示すように、ディスプレイ取付スタンド５８は、支柱支持部材５７の支柱部５７ａと連結される支柱部５８ａと、支柱部５８ａに対して略直角（水平方向）に配設されたアーム部５８ｂと、を備えている。そして、アーム部５８ｂの先端にディスプレイ（不図示）を取付可能になっている。支柱部５８ａにおける支柱支持部材５７との連結面５８ｃには、連結面５８ｃの略中央部から支柱部５８ａの軸方向に沿って雌ネジ穴５８ｄが形成されている。雌ネジ穴５８ｄには、雄ネジ部材６１が螺合されるようになっている。また、雄ネジ部材６１には、ナット６２が取りつけられるように構成されている。
【００３５】
（テーブルの組立方法）
次に、テーブル１の組立方法について概略を説明する。
まず、テーブル１を設置する床面Ｆ上において、脚体３０を所定位置に配置する。このとき、アジャスター３３で二つの脚体３０の高さおよび水平度を調整しておく。脚体３０を配置した状態で、梁材２０を脚体３０間に架設するとともに、梁固定ボルト４０を用いて、梁材２０と脚体３０とを固着する。このとき、梁材２０の第一の底面２３と脚体３０の第一の載置面３４Ａ，３４Ｂとが当接し、同様に、第二の底面２４と第二の載置面３５Ａ，３５Ｂとが当接し、第三の底面２５と第三の載置面３６Ａ，３６Ｂとが当接して配置されている。また、梁材２０の被係止端２６が脚体３０の係止片３７に幅方向Ｙに係止され、確実に位置決めされた状態で支持される。なお、梁固定ボルト４０を取り付ける際には、脚体３０の本体部３１の側板３１ａを取り外して行う。また、一対の梁体２０が固定された状態でそれぞれに底板４３ａを係合させることで、通線空間４３となる底部を閉塞させる。
【００３６】
次に、天板１０の板部材１１を梁材２０上に載置する。まず、天板１０を構成する各板部材１１の下面に、それぞれ、第一の被係止片１３及び第二の被係止片１４を取り付ける。次に、各板部材１１を梁材２０に載置する。この際、各板部材１１は、所定の位置よりも若干幅方向Ｙ外側に配置しおく。そして、各板部材１１について、幅方向Ｙの外側から内側に向かってスライドさせることで、第一の被係止片１３及び第二の被係止片１４が対応する第一の係止溝２１ａ及び第二の係止溝２１ｂに挿入され、係止縁部２１ｃ、２１ｄに係止された状態となり、これにより板部材１１は、上下方向Ｚ及び幅方向Ｙに確実に位置決めされた状態となる。そして、梁材２０の下側から挿通孔２９に天板固定ボルト４１を挿通させてネジ穴１２に螺合させることで、天板１０は梁材２０に固定されることとなり、脚体３０、梁材２０及び天板１０は、一体的に組み立てられた状態となる。
【００３７】
次に、梁材２０の側面２０ｅに支持部材１５を所定位置に係合させる。また、同じく梁材２０の側面２０ｅに支柱支持部材５７を所定位置に係合させる。
図１０に示すように、支柱支持部材５７を梁材２０に取り付けるには、支柱支持部材５７の当接部５７ｊを梁材２０の第一係止溝７１の開口縁部７２ａに形成された凹部７２ｂに嵌合するように支柱支持部材５７を第一係止溝７１に斜め上方から差し込む。支柱支持部材５７を当接部５７ｊと凹部７２ｂとが嵌合するように第一係止溝７１に差し込むと、支柱支持部材５７を下向きに回動させ、支柱支持部材５７の接合片５７ｄが側面２０ｅに当接するように配する。そして、固定ボルト６０を接合片５７ｄの切欠き５７ｅに挿通させ、予め側面２０ｅの第二係止溝７５の空洞部７７に挿入しておいた角ナット５９と螺合させて、接合片５７ｄを梁材２０の側面２０ｅに固着する。このようにすることで、支柱支持部材５７が梁材２０の所望の位置に支持固定されることとなる。なお、梁材２０の側面２０ｅの凹部７８には支柱支持部材５７の下端部５７ｋが当接して、支柱支持部材５７が支持されている。
【００３８】
そして、支持部材１５の上部に天板蓋５３を取り付けるとともに、幅方向Ｙに対向する一対の天板蓋５３の隙間に目隠蓋５４を取付ける。このとき、目隠蓋５４に形成された貫通孔５５に支柱支持部材５７の支柱部５７ａを挿通させて取付ける。
一方、ディスプレイ取付スタンド５８の雌ネジ穴５８ｄには雄ネジ部材６１を螺合するとともに、雄ネジ部材６１にナット６２を螺入して、連結面５８ｃとナット６２とが当接するように配する。
【００３９】
そして、図１１に示すように、このディスプレイ取付スタンド５８を支柱支持部材５７に連結する。このとき、ディスプレイ取付スタンド５８側のナット６２が、支柱支持部材５７の空間部５７ｇ内に側面視で収容されるまで（ナット６２が支柱支持部材５７の底面５７ｈに当接するまで）雄ネジ部材６１を支柱支持部材５７の雌ネジ穴５７ｉに螺合させる。このようにして、テーブル１の組立が完了する。
【００４０】
本実施形態によれば、ディスプレイ取付スタンド５８と支柱支持部材５７とを雄ネジ部材６１を用いて螺合させることで連結したため、ディスプレイ取付スタンド５８および支柱支持部材５７を強固かつ安定的に連結することができる。また、ディスプレイ取付スタンド５８の連結面５８ｃに当接されたナット６２が支柱支持部材５７の空間部５７ｇ内に少なくとも一部が収容されるようにディスプレイ取付スタンド５８と支柱支持部材５７とが連結されるため、ディスプレイ取付スタンド５８と支柱支持部材５７とを連結している雄ネジ部材６１が外部からは視認できない状態で連結される。したがって、ディスプレイ取付スタンド５８と支柱支持部材５７との連結部の体裁を良好に収めることができる。さらに、ディスプレイ取付スタンド５８および支柱支持部材５７を連結せずに単独で使用する際に、雄ネジ部が突出形成されていないため、支柱自体の体裁が悪くなることがない。
【００４１】
また、ディスプレイ取付スタンド５８および支柱支持部材５７の中心軸を一致させて連結するようにしたため、ディスプレイ取付スタンド５８と支柱支持部材５７とが直線状に連結され、連結された状態の体裁を良好に保つことができる。
【００４２】
（第二実施形態）
次に、本発明の第二実施形態について図１２、図１３に基づいて説明する。なお、本実施形態は、支柱支持部材とディスプレイ取付スタンドとの連結構造が異なるのみで、その他の構成は第一実施形態と略同一であるため、同一箇所には同一符号を付して詳細な説明は省略する。
図１２に示すように、ディスプレイ取付スタンド１５８の連結面１５８ｃの周縁に、ディスプレイ取付スタンド１５８の軸方向外方に向かって袖部１５８ｅが突出形成されている。袖部１５８ｅは、支柱支持部材５７の外周に外嵌できる大きさ（直径）で形成されている。つまり、ディスプレイ取付スタンド１５８の直径が、支柱支持部材５７の直径よりも大きく形成されている。
【００４３】
本実施形態によれば、第一実施形態の作用効果に加えて、ディスプレイ取付スタンド１５８と支柱支持部材５７との連結部の隙間に位置しているナット６２をディスプレイ取付スタンド１５８の袖部１５８ｅで覆うことができる。したがって、ディスプレイ取付スタンド１５８と支柱支持部材５７とが直接連結されているように視認でき、ディスプレイ取付スタンド１５８と支柱支持部材５７との連結部の体裁を良好に収めることができる。
【００４４】
なお、図１３に示すように、ディスプレイ取付スタンド１５８の直径を支柱支持部材５７の直径より小さく形成し、袖部１５８ｅが支柱支持部材５７の空間部５７ｇ内に内嵌されるように構成してもよい。このようにすることで、ナット６２を支柱支持部材５７で覆うことができる。
【００４５】
（第三実施形態）
次に、本発明の第三実施形態について図１４に基づいて説明する。なお、本実施形態は、支柱支持部材とディスプレイ取付スタンドとの連結構造が異なるのみで、その他の構成は第一実施形態と略同一であるため、同一箇所には同一符号を付して詳細な説明は省略する。
図１４に示すように、ディスプレイ取付スタンド２５８の連結面２５８ｃの周縁に、ディスプレイ取付スタンド２５８の軸方向外方に向かって袖部２５８ｅが突出形成されている。袖部２５８ｅは、支柱支持部材５７の外周に当接される大きさ（直径）で形成されている。つまり、ディスプレイ取付スタンド１５８の直径と支柱支持部材５７の直径とが、略同一の大きさで形成されている。
【００４６】
本実施形態によれば、ディスプレイ取付スタンド２５８および支柱支持部材５７の外形が略同一の直径で形成されているため、ディスプレイ取付スタンド２５８と支柱支持部材５７とを連結したときに連結部を略面一にすることができる。したがって、一見してディスプレイ取付スタンド２５８と支柱支持部材５７との連結部を視認することができず、ディスプレイ取付スタンド２５８と支柱支持部材５７とが連結された状態の体裁をより良好に保つことができる。
【００４７】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、本実施形態において、支柱支持部材とディスプレイ取付スタンドとの連結構造について説明したが、同様の構成を実現し得る箇所に略同一の構造を採用してもよい。
また、本実施形態において、支柱支持部材を梁材の凹部に係止して取付ける場合の説明をしたが、第一係止溝の任意の位置に支柱支持部材を取り付けることができるように構成してもよい。
【図面の簡単な説明】
【００４８】
【図１】本発明の実施形態におけるテーブルの斜視図である。
【図２】本発明の実施形態におけるテーブルの側面図である。
【図３】図２のＡ−Ａ線に沿う断面図である。
【図４】図２のＢ−Ｂ線に沿う断面図である。
【図５】本発明の実施形態における梁材の図面であり、（ａ）部分斜視図、（ｂ）部分詳細図（（ａ）のＣ部詳細）である。
【図６】本発明の実施形態における支柱支持部材の図面であり、（ａ）正面図、（ｂ）側面図（（ａ）のＤ矢視図）である。
【図７】本発明の実施形態における角ナットの斜視図である。
【図８】本発明の実施形態におけるディスプレイ取付スタンドの側面図である。
【図９】本発明の実施形態における雄ネジ部材およびナットの斜視図である。
【図１０】図２のＣ−Ｃ線に沿う断面図である。
【図１１】本発明の第一実施形態におけるディスプレイ取付スタンドと支柱支持部材との連結構造を示す部分断面図である。
【図１２】本発明の第二実施形態におけるディスプレイ取付スタンドと支柱支持部材との連結構造を示す部分断面図である。
【図１３】本発明の第二実施形態におけるディスプレイ取付スタンドと支柱支持部材との連結構造の別の態様を示す部分断面図である。
【図１４】本発明の第三実施形態におけるディスプレイ取付スタンドと支柱支持部材との連結構造を示す部分断面図である。
【符号の説明】
【００４９】
５７…支柱支持部材（第二支柱）  ５７ｆ…上面（支柱端面）  ５７ｇ…空間部  ５７ｈ…底面  ５７ｉ…雌ネジ穴（第二の雌ネジ穴）  ５８,１５８，２５８…ディスプレイ取付スタンド（第一支柱）  ５８ｃ，１５８ｃ，２５８ｃ…連結面（支柱端面）  ５８ｄ…雌ネジ穴（第一の雌ネジ穴）  ６１…雄ネジ部材  ６２…ナット（ナット部材）  １５８ｅ，２５８ｅ…袖部
【図１】
2009174582.tif 000003
【図２】
2009174582.tif 000004
【図３】
2009174582.tif 000005
【図４】
2009174582.tif 000006
【図５】
2009174582.tif 000007
【図６】
2009174582.tif 000008
【図７】
2009174582.tif 000009
【図８】
2009174582.tif 000010
【図９】
2009174582.tif 000011
【図１０】
2009174582.tif 000012
【図１１】
2009174582.tif 000013
【図１２】
2009174582.tif 000014
【図１３】
2009174582.tif 000015
【図１４】
2009174582.tif 000016